(57)【特許請求の範囲】
【請求項１】
ケース本体と、
前記ケース本体の外周面上に設けられ、前後方向スリット状に形成されるスリット部と、
前記スリット部の前端から幅方向に広がる当接面を有する係合当接部と、
前記係合当接部に段状に形成される当接段部と、
前記スリット部を移動可能なスライド部を備える操作ユニットと、
を有し、
前記操作ユニットは、
前記スリット部よりも幅広に形成されて前記係合当接部の前記当接面と当接可能とされるスライド当接部と、
前記当接段部と当接可能に形成される規制突起部と、
前記ケース本体に対して前後移動自在に設けられるツール保持体と、
前記スライド当接部と前記規制突起部を弾発支持して前記スライド部と前記ツール保持体とを連結する連結部と、
を有することを特徴とする出没構造。
【請求項２】
前記規制突起部は、前記スライド部の左右に渡って形成されることを特徴とする請求項１に記載の出没構造。
【請求項３】
請求項１又は請求項２に記載の出没構造を有し、
前記ツール保持体は、塗膜転写機構を保持し、
前記塗膜転写機構は、
未使用の転写テープが巻装される供給ボビンと、
使用済みの転写テープを巻き取る巻取ボビンと、
前記供給ボビンと前記巻取ボビンとを連動して回転させる連動機構と、
前記転写テープの転写層を被転写面に転写する転写部を備える転写ヘッドと、
を有することを特徴とする塗膜転写具。
【請求項４】
前記ツール保持体は、縦板状に形成されるとともに、前記塗膜転写機構を片持ちして保持することを特徴とする請求項３に記載の塗膜転写具。
【請求項５】
前記転写ヘッドは、
転写ローラと、
前記ツール保持体の前端部に形成されて前記転写ローラの一方端を支持する一方端支持部と、
前記ツール保持体から立設する横板状の保持プレートと、
前記保持プレートと接続されて前記転写ローラの他方端を支持する他方端支持部を備える縦板状のローラ片支持プレートと、
前記保持プレートの後端に、前記ローラ片支持プレートから前記ツール保持体に向けて後方に傾斜して設けられる縦板状の傾斜プレートと、
を有することを特徴とする請求項４に記載の塗膜転写具。
【発明の詳細な説明】
【技術分野】
【０００１】
本発明は、ツール類をケース本体から出没させる出没構造と、この出没構造を備え、転写テープの転写層を被転写面に転写する塗膜転写具に関する。
【背景技術】
【０００２】
従来から、ボールペン等の筆記具や塗膜転写具の転写ヘッド等をケース本体内から出没させる出没構造が開示されている。例えば、特許文献１に開示される出没構造は、ボールペンの中芯を軸筒本体から出没させるボールペンに関するものである。このボールペンの軸筒には、中芯を保持するホルダが備えられる。ホルダは軸筒後端方向に付勢されている。一方、軸筒には前後２つの窓部と、この２つの窓部を連結するスリットが形成されている。そして、スリットを移動可能に形成されるスライド部には、操作ボタンと、係止部とが形成される。スライド部はホルダと連結される。スライド部とホルダとを連結する連結部により、スライド部は径外方向に付勢されている。
【０００３】
このボールペンにおいてペン先を軸筒から突出させる操作は、操作ボタンを押してスライド部を後側の窓部から前側の窓部に移動させる。すると、前側の窓部の後縁に係止部が係止される。筆記時には、前側の窓部の後縁と係止部との係止によりホルダの後方移動が規制される。一方、ペン先を軸筒に没入させるには、操作ボタンを押して係止部の係止を解除すれば、前側の窓部から後側の窓部にスライド部がスリットを介して移動される。
【０００４】
また、特許文献２には、転写ヘッドをケース本体から出没可能に備える塗膜転写具が開示されている。この塗膜転写具には、供給ボビンや巻取ボビン及びこれらを連動させる連動機構がケース本体内に支持されている。一方、転写ヘッドは、前後動移動可能に形成される連結部の先端に設けられる。また、ケース本体側面には前後に長い摺動溝が設けられている。操作部材は、この摺動溝に沿って前後移動される。そして、この操作部材と連結部との間には、係合片を備えるバネ部材が設けられている。摺動溝の両縁には、前側及び後側に係止溝が設けられている。バネ部材の係合片は、この係止溝と係止可能に形成されている。
【０００５】
この塗膜転写具において転写ヘッドをケース本体から突出させるには、操作部材を後側から前側に移動させて行う。このとき、後側の係止溝に係止されるバネ部材は、バネ部材の弾発力に抗して係止溝から脱して、前側の係止溝に嵌まり込む。このバネ部材と前側の係止溝が係止することにより、転写操作時における力を受けることができる。また、操作部材によりバネ部材と前側の係止溝との係止を離脱させることにより、転写ヘッドをケース本体内に没入させることができる。
【先行技術文献】
【特許文献】
【０００６】
【特許文献１】特開２０１１−１９４８２９号公報
【特許文献２】特開２００７−１３６９５９号公報
【発明の概要】
【発明が解決しようとする課題】
【０００７】
これらのボールペンや塗膜転写具では、使用しないときにはボールペンのペン先や転写ヘッドをケース本体に没入して収納し、使用するときにはケース本体から突出させることができるものである。しかしながら、これらの出没構造では、ボールペンや塗膜転写具の使用時に、誤って操作ボタンに触れる等した場合には、突出させたボールペンのペン先や転写ヘッドが没入される。
【０００８】
特許文献１のボールペンにおいては、筆記中であっても、操作ボタンを押してしまうと、前側の窓部の後縁と係止部との係止が解除されて、ペン先がケース本体内に没入されてしまう。また、特許文献２の塗膜転写具においては、転写作業中であっても、操作部材を没入方向にスライドすれば、転写ヘッドがケース本体内に没入されてしまう。
【０００９】
このように、ペン先や転写ヘッドを突出して使用していても、操作を誤るとケース本体内に没入されてしまうので、使用者はこれらの操作ボタンや操作部材に触れないように気を付けながら作業することとなる。すると、使用時におけるケース本体の把持の仕方に制限が生じ、また、作業に集中できない恐れも生じることとなる。
【００１０】
本発明の目的は、ペン先や転写ローラ等を使用している場合においては、これらのツール類が没入されることのない出没構造と、この出没構造を備える塗膜転写具を提供する。
【課題を解決するための手段】
【００１１】
本発明の出没構造は、ケース本体と、前記ケース本体の外周面上に設けられ、前後方向スリット状に形成されるスリット部と、前記スリット部の前端から幅方向に広がる当接面を有する係合当接部と、前記係合当接部に段状に形成される当接段部と、前記スリット部を移動可能なスライド部を備える操作ユニットと、を有し、前記操作ユニットは、前記スリット部よりも幅広に形成されて前記係合当接部の前記当接面と当接可能に形成されるスライド当接部と、前記当接段部と当接可能に形成される規制突起部と、前記ケース本体に対して前後移動自在に設けられるツール保持体と、前記スライド当接部と前記規制突起部を弾発支持して前記スライド部と前記ツール保持体とを連結する連結部と、を有する。
【００１２】
また、前記規制突起部は、前記スライド部の左右に渡って形成される。
【００１３】
本発明の塗膜転写具は、上述の出没構造を有し、前記ツール保持体は、塗膜転写機構を保持し、前記塗膜転写機構は、未使用の転写テープが巻装される供給ボビンと、使用済みの転写テープを巻き取る巻取ボビンと、前記供給ボビンと前記巻取ボビンとを連動して回転させる連動機構と、前記転写テープの転写層を被転写面に転写する転写部を備える転写ヘッドと、を有する。
【００１４】
また、前記ツール保持体は、縦板状に形成されるとともに、前記塗膜転写機構を片持ちして保持する。
【００１５】
また、前記転写ヘッドは、転写ローラと、前記ツール保持体の前端部に形成されて前記転写ローラの一方端を支持する一方端支持部と、前記ツール保持体から立設する横板状の保持プレートと、前記保持プレートと接続されて前記転写ローラの他方端を支持する他方端支持部を備える縦板状のローラ片支持プレートと、前記保持プレートの後端に、前記ローラ片支持プレートから前記ツール保持体に向けて後方に傾斜して設けられる縦板状の傾斜プレートと、を有する。
【発明の効果】
【００１６】
本発明によれば、操作ユニットは、スリット部に沿って前後移動可能なスライド部を備える。操作ユニットは、ボールペンや工具類等のツールを保持するツール保持体を備える。さらに、操作ユニットは、スリット部の前端に設けられる係合当接部の当接面と当接可能とされるスライド当接部と、スリット部よりも幅広に形成されて、当接段部に当接可能な規制突起部とを備える。
【００１７】
これにより、スライド部を前後動させることでツール保持体も前後に移動されるので、ツール保持体により保持されるツールを出没させることができる。そして、スライド部を前方に移動させて、係合当接部の当接面とスライド当接部とを当接させれば、ツールの突出状態を維持することができる。このとき、規制突起部は当接段部と当接可能とすることができる。従って、規制突起部と当接段部とが当接されている場合にはスライド部の前後動を規制することができる。
【００１８】
すなわち、ツールの突出が維持されている状態において、スライド部が操作されることを規制することができるので、使用者が意図せずスライド部に触れる等しても、ツールがケース本体に没入されてしまうことが無い。従って、ツールを用いた作業を継続して行うことができる。
【００１９】
また、規制突起部は、スライド部の左右に渡って形成される。これにより、スライド部と規制突起部とを一体的に形成することができるので、出没構造をコンパクトに形成することができる。
【００２０】
そして、塗膜転写具は、本発明に係る出没構造を備え、ツール保持体に塗膜転写機構が保持されるように形成した。これにより、構成を簡単にした出没構造を備える塗膜転写具としつつ、転写操作の際中においても転写ヘッドが没入されない塗膜転写具を提供することができる。
【００２１】
また、ツール保持体による塗膜転写機構の保持は、ツール保持体を縦板状に形成することで片持ちして保持するように形成した。これにより、使用済みの塗膜転写機構の交換を容易としつつ、製造に掛かるコストを低減させた塗膜転写具を提供することができる。
【００２２】
また、転写ヘッドは、ツール保持体に転写ローラの一方端が支持されて、ローラ片支持プレートにより他方端を支持するように構成した。そして、保持プレートと傾斜プレートによりローラ片支持プレートをツール保持体と接続するよう構成した。これにより、転写ローラの回転軸に対して直交する方向を軸中心とする転写ヘッド周りの剛性を高めることができる。
【図面の簡単な説明】
【００２３】
【図１】本発明の実施形態に係る塗膜転写具を示し、（ａ）は転写ヘッドの収納状態を示し、（ｂ）は転写ヘッドの突出状態を示す斜視図である。
【図２】本発明の実施形態に係る塗膜転写具を左側方から見た分解斜視図である。
【図３】本発明の実施形態に係る塗膜転写具を右側方から見た分解斜視図である。
【図４】本発明の実施形態に係る塗膜転写具の操作部を示す斜視図である。
【図５】本発明の実施形態に係る塗膜転写具のスライドレール部を示す上面図である。
【図６】本発明の実施形態に係る塗膜転写具の収納状態を示す左側面図である。
【図７】本発明の実施形態に係る塗膜転写具の突出操作を示す操作部周辺の拡大図であり、（ａ）は収納状態における操作部の位置を示し、（ｂ）は前方移動中における操作部の位置を示す図である。
【図８】本発明の実施形態に係る塗膜転写具の突出操作を示す操作部周辺の拡大図であり、（ａ）は突出状態における操作部の位置を示し、（ｂ）は操作部の操作が規制されている状態を示す図である。
【図９】本発明の実施形態に係る塗膜転写具を使用している状態を示す左側面図である。
【図１０】本発明の実施形態に係る塗膜転写具先端部の一部拡大左側面図であり、（ａ）は転写ヘッドの没入状態を示し、（ｂ）は転写ヘッドの突出状態を示す図である。
【図１１】本発明の実施形態に係る塗膜転写具先端部の一部拡大右側面図であり、（ａ）は転写ヘッドの没入状態を示し、（ｂ）は転写ヘッドの突出状態を示す図である。
【発明を実施するための形態】
【００２４】
以下、本発明の実施形態を図に基づいて説明する。図１は本発明に係る出没構造を備える塗膜転写具１０である。図１（ａ）は転写ヘッド２０がケース本体５に収納された状態を示し、図１（ｂ）は転写ヘッド２０がケース本体５から突出された状態を示す。なお、以下の説明においては、転写ヘッド２０が備えられる方向を前とし、その反対方向を後とする。また、塗膜転写具１０を後方から前方に向かって見たときの左側を左、右側を右、図１（ａ），（ｂ）における上側を上、下側を下として説明する。
【００２５】
転写ヘッド２０の出没操作は、ケース本体５の上面に設けられて操作部を構成する操作部材４１により行われる。操作部材４１は、ケース本体５の上面略中央から後方にかけて形成されるスライドレール部６０に沿って前後移動可能に形成されている。操作部材４１を後側から前側に移動させると、図１（ａ）から図１（ｂ）の状態に変化する。すなわち、塗膜転写具１０は、操作部材４１を後側から前側に移動させると、シャッター７が開いて、転写ヘッド２０が突出される。一方、前側に位置される操作部材４１を後側に移動させると、図１（ｂ）から図１（ａ）の状態、すなわち転写ヘッド２０がケース本体５内に没入される。
【００２６】
次に、塗膜転写具１０の内部構造を図２及び図３の分解斜視図により説明する。ケース本体５は、左ケース５１と右ケース５６とが結合されてなる。左ケース５１及び右ケース５６は、それぞれ前後方向に長い略シェル状に形成される。左ケース５１及び右ケース５６の前側縁は、それぞれ左開口部５１ｅ，右開口部５６ｅとされる略矩形の切欠き部が形成されている。左開口部５１ｅ，右開口部５６ｅは、左ケース５１と右ケース５６が結合されると開口部５ｅを形成する（図１参照）。
【００２７】
左ケース５１には、図３に主に示されるように、上下の縁部に複数の係止爪５１ａが形成されている。一方、右ケース５６には、図２に主に示されるように、上下の縁部に複数の係止孔５６ａが形成されている。右ケース５６の各係止孔５６ａは、左ケース５１の各係止爪５１ａに対応して配置されている。各係止爪５１ａは、係止孔５６ａに係脱自在とされている。従って、各係止爪５１ａと各係止孔５６ａの係脱により、左ケース５１と右ケース５６は、結合及び分離をすることができる。
【００２８】
また、左ケース５１には、図３に主に示されるように、複数のガイド柱５１ｂが内側面から立設している。一方、右ケース５６には、図２に主に示されるように、円筒状に形成される複数のガイド孔部５６ｂが内側面から立設している。右ケース５６の各ガイド孔部５６ｂは、左ケース５１の各ガイド柱５１ｂに対応して配置されている。各ガイド柱５１ｂ及び各ガイド孔部５６ｂは、左ケース５１と右ケース５６が結合される際に、各ガイド柱５１ｂが各ガイド孔部５６ｂに挿入される。これにより、左ケース５１と右ケース５６の結合がガイドされる。
【００２９】
また、図３に示されるように、左ケース５１の内側面前方には、円柱状の左支持軸５１ｃが左ケース５１の内側面から立設している。一方、図２に示されるように、右ケース５６の内側面前方には、円柱状の右支持軸５６ｃが右ケース５６の内側面から立設されている。左支持軸５１ｃと右支持軸５６ｃは、左ケース５１と右ケース５６が結合された際、それぞれシャッター７の左軸孔７ａ及び右軸孔７ｂに挿入される。これにより、シャッター７は回動自在に支持される。
【００３０】
なお、シャッター７は、外周面が側面視円弧状となるよう形成されている。従って、シャッター７が閉じられた際にはケース本体５の外周面と合わせて側面視略楕円形状の本体形状が形成される。そして、シャッター７の下縁には、図３に示されるように、鋸刃状の歯部７ｃが形成されている。転写テープＴがテープ糊である場合には、転写ヘッド２０の出没時に使用済みの転写テープＴに残留する糊剤により糸引きが発生する。しかしながら、この歯部７ｃにより、残留する糊剤による糸引きを切断して、開口部５ｅ周辺への付着を低減することができる。
【００３１】
さらに、シャッター７の右側の板状部における下端には、ギヤ歯７ｄが形成されている。このギヤ歯７ｄは、後述するツール保持体２１のラック２６と歯合して、ツール保持体２１の前後動に合わせて回動される。
【００３２】
また、図３に示されるように、左ケース５１の内側面略中央には、前後方向に長い筒状の支持軸ガイド５１ｄ，５１ｆが前後２箇所にそれぞれ形成されている。支持軸ガイド５１ｄ，５１ｆは、左ケース５１の内側面から立設されている。この支持軸ガイド５１ｄ，５１ｆにより、供給ボビン３１及び巻取ボビン３２の支持軸２１ａ，２１ｂが前後方向にガイドされる。なお、左ケース５１の内側面には、支持軸ガイド５１ｄ，５１ｆ間やその周囲に多数のリブが形成されている。
【００３３】
支持軸ガイド５１ｄ，５１ｆ間の下側には、円弧状の孔５１ｇが形成されている（図１（ａ），（ｂ）も参照）。この孔５１ｇを介して巻取ボビン３２を手動で回転させて転写テープＴの弛みを調整することができる。
【００３４】
図３のＱ部は、左ケース５１の内側面の前端部近傍を上方から見た一部拡大斜視図である。左開口部５１ｅの下縁における左ケース５１の内側面には、カム部５１ｈが形成されている。カム部５１ｈは、左開口部５１ｅの下縁隅部から後方に向けて延びる平板状部５１ｈ１が形成されている。平板状部５１ｈ１からさらに後方側には、平板状部５１ｈ１の上面と連続する凹面を有するカム凹部５１ｈ２が形成されている。すなわち、カム凹部５１ｈ２は、上側が凹部となる側面視凹湾曲状に形成されている。
【００３５】
一方、カム部５１ｈのさらに後方側には、水平リブ５１ｊが左ケース５１の内側面から立設している。そして、同様に図３のＱ部に示されるように、水平リブ５１ｊの上面には、側面視略半円状の突起５１ｋが形成されている。
【００３６】
また、図２に示すように、右ケース５６の内側面略中央には、ガイドレール５６ｄが形成されている。ガイドレール５６ｄは、上下二本のレール５６ｄ１，５６ｄ２が前後に長く形成されてなる。
【００３７】
左ケース５１及び右ケース５６の上面やや後方には、スライドレール部６０を形成する左スライドレール部６０ａ及び右スライドレール部６０ｂがそれぞれ形成されている。左スライドレール部６０ａ及び右スライドレール部６０ｂの前方側の左ケース５１及び右ケース５６の上面には、把持したときに滑り止めとなる横溝５ａ（図１（ａ），（ｂ）参照）を構成する左横溝５１ｍ及び右横溝５６ｍが形成されている。
【００３８】
転写ヘッド２０は、前後に長い縦板状のツール保持体２１に保持されている。図３に示すように、ツール保持体２１の前端は、側面視において前方が窄まるように形成されている。ツール保持体２１の前端には、転写ローラ２２の右端を回転自在に支持する一方端支持部２１ｃが形成されている。一方、図２に示すように、ツール保持体２１の左方側には、ツール保持体２１と対向して、縦板状のローラ片支持プレート２３が形成されている。ローラ片支持プレート２３も前方が窄まるように形成されている。ローラ片支持プレート２３の前端には、転写ローラ２２の左端を回転自在に支持する他方端支持部２３ａが形成されている。転写ローラ２２は、一方端支持部２１ｃと他方端支持部２３ａとにより回転自在に支持される。
【００３９】
そして、ローラ片支持プレート２３とツール保持体２１との間には、横板状の保持プレート２４が設けられている。すなわち、ローラ片支持プレート２３は、ツール保持体２１から立設する横板状の保持プレート２４と接続されている。さらに、保持プレート２４の後端には、縦板状の傾斜プレート２５が設けられている。傾斜プレート２５は、保持プレート２４の後端と接続して設けられる。そして、傾斜プレート２５は、ローラ片支持プレート２３の後端からツール保持体２１の左側面に向けて、平面視において後方に傾斜するように形成されている。この保持プレート２４と傾斜プレート２５とにより、ローラ片支持プレート２３はツール保持体２１に接続して固定されている。
【００４０】
また、転写ヘッド２０を左下方から見た図２のＰ部で示すように、ローラ片支持プレート２３の左側面の後方下部には、ガイド部２３ｂが形成されている。ガイド部２３ｂは、前方に向けて凸となるように上下に渡って側面視凸湾曲状の湾曲部２３ｂ１が形成される。そして、湾曲部２３ｂ１の下端からは、直線部２３ｂ２が後方側に延びるようにして形成されている。さらに、ローラ片支持プレート２３の下縁面後方側には、この下縁面から下方に向けて突出される傾斜突起２３ｃが形成されている。傾斜突起２３ｃは、ローラ片支持プレート２３の後端縁面の下端から連続してやや前方に延びる直線状面２３ｃ１と、直線状面２３ｃ１の下端からローラ片支持プレート２３の下端縁面に向けて傾斜して延びる傾斜面２３ｃ２とにより形成される（図１０（ａ），（ｂ）も参照）。
【００４１】
また、図２に示すように、ツール保持体２１における前後方向略中央には、メインギヤ保持部２１ｄが形成されている。メインギヤ保持部２１ｄには、円環状にラチェット歯２１ｄ１が形成されている。ラチェット歯２１ｄ１における円環状内側は、ツール保持体２１の左側面に対して凹状に形成される。そして、ラチェット歯２１ｄ１における円環状内側には、３本のアーム２１ｄ２がラチェット歯２１ｄ１における円環状の中心に向けて延びている。３本のアーム２１ｄ２の各基端部には、半球状の摺接突起２１ｄ３がそれぞれ設けられている。この３本のアーム２１ｄ２が交差する位置、すなわち、ラチェット歯２１ｄ１における円環状の中心からは、左方に向けて円筒状の支持軸２１ａが設けられている。
【００４２】
ツール保持体２１におけるメインギヤ保持部２１ｄの後側には、巻取ボビン保持部２１ｅが設けられている。巻取ボビン保持部２１ｅには、外周壁部２１ｅ１が形成されている。外周壁部２１ｅ１は、後端が側面視半円状に形成されて、この半円状の両端から前方に向けて直線が延びるように形成されている。外周壁部２１ｅ１の内側はツール保持体２１の左側面に対して凹状に形成される。外周壁部２１ｅ１の後端側には、３本のアーム２１ｅ２が形成されている（図３も参照）。そして、この３本のアーム２１ｅ２が交差する位置から左方に向けて、円筒状の支持軸２１ｂが形成されている。さらに、支持軸２１ｂの基端部における各アーム２１ｅ２上には、それぞれ摺接突起部２１ｅ３が形成されている。
【００４３】
また、図３に示すように、ツール保持体２１の右側面における前方下側には、ラック２６が形成されている。さらに、ツール保持体２１の右側面における略中央から後方にかけて、前後に長いスライドレール２７ａ，２７ｂからなるスライド部２７が形成されている。スライドレール２７ａ，２７ｂは、ツール保持体２１の右側面に、それぞれ上下に設けられている。なお、スライドレール２７ａ，２７ｂは、メインギヤ保持部２１ｄにおける３本のアーム２１ｄ２により形成される孔部の位置では分断して形成されている。
【００４４】
また、図２に示すように、メインギヤ３３の左側面は、中央に側面視円環状の凹部３３ａが形成されている。この凹部３３ａに対して突出するように、メインギヤ３３の右側面には、円環状の突出部３３ｂが形成されている。また、メインギヤ３３の凹部３３ａ（突出部３３ｂ）の径方向には、３カ所に円弧状の孔部３３ｃが形成されている。そして、孔部３３ｃのうちの一つには、円弧状の係止板３３ｄが形成されている。図３で示す係止板３３ｄの右側面側の端部には、ラチェット爪３３ｅが形成されている。ここで、メインギヤ３３は、係止板３３ｄと一体に樹脂材料により形成される。従って、係止板３３ｄはバネ性を有する。そして、ラチェット爪３３ｅと、メインギヤ保持部２１ｄのラチェット歯２１ｄ１とにより、逆転防止機構が形成されている。すなわち、メインギヤ３３は一方向（左側面視で時計回り）にのみ回転可能とされる。
【００４５】
また、図２に主に示されるように、固定軸３４は、円筒状の軸部３４ａが形成されている。軸部３４ａの外周には３つのリブ３４ｂが軸部３４ａの軸方向に沿って形成されている。一方、供給ボビン３１の孔部３１ａの内周面には図示しない係止部（例えば軸方向に形成される複数の溝）が形成されている。従って、固定軸３４のリブ３４ｂは供給ボビン３１の孔部３１ａにおける係止部に係止される。このようにして、固定軸３４は、供給ボビン３１に固定される。そして、軸部３４ａの孔に支持軸２１ａが挿入されて、供給ボビン３１は支持軸２１ａにより回転自在に支持される。
【００４６】
固定軸３４の軸部３４ａの右端には、略円弧状のバネ部３４ｃが３つ形成されている。バネ部３４ｃは、径方向に弾発可能に形成されている。このバネ部３４ｃは、メインギヤ３３の凹部３３ａに収められる。バネ部３４ｃの先端部は膨出して形成される。バネ部３４ｃにおける膨出して形成された先端部の側面は、凹部３３ａの周壁と摺接される。バネ部３４ｃの先端部側面と凹部３３ａの周壁とによりクラッチ機構が形成される。
【００４７】
巻取ボビン３２は、図２に示すように、中心に円筒状の軸部３２ａが形成されている。また、巻取ボビン３２の左側面には、円環状にラチェット歯３２ｄが形成されている。このラチェット歯３２ｄに、左ケース５１の孔５１ｇを介してボールペン等の突起物を係合させて、使用者は手動により巻取ボビン３２を回転させることができる。さらに、図３に示すように、巻取ボビン３２の右側面には、ギヤ３２ｂが形成されている。ギヤ３２ｂは、メインギヤ３３外周の歯部と歯合される。ギヤ３２ｂの内側には円筒状のボス３２ｃが形成されている。
【００４８】
このように、供給ボビン３１及び巻取ボビン３２を連動させる連動機構３０は、メインギヤ３３，ギヤ３２ｂ，固定軸３４，支持軸２１ａ，２１ｂを備えるメインギヤ保持部２１ｄ及び巻取ボビン保持部２１ｅにより形成される。そして、塗膜転写機構は、供給ボビン３１や巻取ボビン３２、転写部とされる転写ローラ２２を備える転写ヘッド２０及び連動機構３０により形成される。
【００４９】
塗膜転写機構における供給ボビン３１に巻装される未使用の転写テープＴは、供給ボビン３１の下側から転写ローラ２２を介して供給ボビン３１の上側に接触して下方に向けて方向転換される。そして、方向転換された転写テープＴは、巻取ボビン３２の下側から巻取ボビン３２により巻き取られる。
【００５０】
また、メインギヤ３３は、右側面の突出部３３ｂの面がメインギヤ保持部２１ｄの摺接突起２１ｄ３と摺接されるようにして配置される。さらに、巻取ボビン３２は、ボス３２ｃと摺接突起部２１ｅ３とが摺接するように支持軸２１ｂに回転自在に支持される。このように、縦板状のツール保持体２１により塗膜転写機構が保持される（換言すれば、ツール保持体２１により塗膜転写機構が片持ちされる）ので、転写テープＴを使い切った後の塗膜転写機構の交換作業を容易とすることができるとともに、製造に掛かるコストを低減させることができる。
【００５１】
塗膜転写具１０を図１（ｂ）に示す使用状態として使用すると、未使用の転写テープＴが前方に送られて、転写部とされる転写ローラ２２により転写層が被転写面に転写される。そして、使用済の転写テープＴは、巻取ボビン３２により巻き取られる。このとき、供給ボビン３１は、転写テープＴの送りに伴って左側面視時計回りに回転する。すると、バネ部３４ｃの先端部側面と凹部３３ａの周壁とにより形成されるクラッチ機構を介してメインギヤ３３が左側面視時計回りに回転する。
【００５２】
メインギヤ３３が回転すると、ギヤ３２ｂを介して巻取ボビン３２が左側面視反時計回りに回転する。ここで、ギヤ３２ｂの歯数とメインギヤ３３の歯数や、供給ボビン３１の胴部の径と巻取ボビン３２の胴部の径との関係により、巻取ボビン３２における転写テープＴの巻取量は、常に供給ボビン３１における転写テープＴの送り量よりも多くなるよう設定されている。そして、この送り量と巻取量との差は、適宜バネ部３４ｃの先端部側面と凹部３３ａの周壁とにより形成されるクラッチ機構により調節される。これにより、転写テープＴには常に適切な張力が掛かり、転写テープＴの弛み等が低減される。
【００５３】
一方、塗膜転写機構を保持するツール保持体２１の上方側には、突出部２１ｆが形成されている。突出部２１ｆは、ツール保持体２１の縦板状の略中央上縁から上方に突出される上板部２１ｆ１と、この上板部２１ｆ１から左方に突出する横板２１ｆ２からなる（図３参照）。そして、横板２１ｆ２から後方に連続して延びるようにして連結部４２が形成されている。そして、操作部材４１は、この連結部４２の後端部に設けられている。従って、操作部材４１は、横板状に形成される連結部４２によりツール保持体２１と連結されている。これら操作部材４１や連結部４２及びツール保持体２１は、一体的に樹脂の射出成形により形成され、操作ユニット４０とされている。なお、連結部４２は、上下方向に弾発可能に形成される。
【００５４】
図４には、操作部材４１と連結部４２とが接続する接続部の構造が示されている。操作部材４１と連結部４２との間には、スライド部４３が形成されている。スライド部４３は、平板状に形成される連結部４２の上面から上方に向けて、前後に長い縦板状に立設される。操作部材４１は、前端部が下方側になるように前傾して、スライド部４３の上端に設けられている。そして、連結部４２の後端は、上方に向けて垂直に屈曲されて当接板部４２ａが形成されている。
【００５５】
当接板部４２ａには、当接板部４２ａの上端から前後に張出す規制突起部４４が形成されている。規制突起部４４のうち、後規制突起部４４ａは後方側に張出し、前規制突起部４４ｂは前方側に張出して形成されている。後規制突起部４４ａは、連結部４２（当接板部４２ａ）の左右方向の板幅と同じ幅で形成されている。そして、後規制突起部４４ａの後端面は、スライド部４３の後端面と連続して接続されている。一方、規制突起部４４のうち、前規制突起部４４ｂは、スライド部４３により左右に分断して形成される。
【００５６】
なお、以下においては、後規制突起部４４ａの後端面は、第１のスライド当接部４４ａ１とされ、当接板部４２ａの後端面は、第２のスライド当接部４２ａ１とされる。また、前規制突起部４４ｂの前端面は、第３のスライド当接部４４ｂ１とされ、第３のスライド当接部４４ｂ１の下側であって、当接板部４２ａの前側の面は、第４のスライド当接部４２ａ２とされている。
【００５７】
このようにして、第１のスライド当接部４４ａ１，第２のスライド当接部４２ａ１，第３のスライド当接部４４ｂ１，第４のスライド当接部４２ａ２及び規制突起部４４は、連結部４２により弾発支持されている。
【００５８】
次に、図５に基づいて、スライドレール部６０について説明する。スライドレール部６０には、前側と後側に略矩形の開口部６５，６６が形成されている。開口部６５，６６の左右方向の寸法は、連結部４２（当接板部４２ａ，規制突起部４４）の左右方向の幅寸法よりも若干大きい寸法で形成されている。開口部６５，６６の前後方向の寸法は、規制突起部４４の前後方向の寸法よりも若干大きい寸法で形成されている。
【００５９】
前側の開口部６５の後端縁には、前側の係合当接部６１が形成されている。一方、後側の開口部６６の前端縁には、後側の係合当接部６２が形成されている。そして、前後の係合当接部６１，６２は、スリット部６３により接続されている。スリット部６３は、左右の脇板６３ａにより、前後方向に細長い孔（換言すればスリット状）として形成されている。スリット部６３の幅方向の寸法は、スライド部４３の左右の幅方向の寸法よりも若干大きく、かつ、連結部４２（当接板部４２ａ，規制突起部４４）の左右の幅方向の寸法よりも十分小さく形成されている。
【００６０】
前側の係合当接部６１には、当接段部６１ａが形成されている。当接段部６１ａは、段部の面が上側を向くようにして形成されている。そして、当接段部６１ａの段部の面から上側に連続する面は、第１の当接面６１ｂとされる。一方、当接段部６１ａの段部の面から下側に連続する面は、第２の当接面６１ｃとされる。これらの当接面（第１の当接面６１ｂ，第２の当接面６１ｃ）は、スリット部６３の前端から左右の幅方向それぞれに広がって形成されている。
【００６１】
同様に、後側の係合当接部６２には、当接段部６２ａが形成されている。当接段部６２ａは、段部の面が上側を向くようにして形成されている。そして、当接段部６２ａの段部の面から上側に連続する面は、第３の当接面６２ｂとされる。一方、当接段部６２ａの段部の面から下側に連続する面は、第４の当接面６２ｃとされる。これらの当接面（第３の当接面６２ｂ，第４の当接面６２ｃ）は、スリット部６３の後端から左右の幅方向それぞれに広がって形成されている。
【００６２】
前側の開口部６５の前方側には、スリット状の孔とされる前移動規制部６４が形成されている。前移動規制部６４は、スリット部６３と中心を合わせるようにして、前側の開口部６５の前縁と接続して形成されている。
【００６３】
図６に示すように、塗膜転写具１０は、以上説明した部材が組み立てられて形成される。なお、図６は、内部構造が分かり易いように、左ケース５１を二点鎖線で示している。また、図６は、転写ヘッド２０がケース本体５に没入されている状態を示す。
【００６４】
次に、塗膜転写具１０における転写ヘッド２０の出没操作及び転写操作について説明する。図７（ａ），（ｂ）及び図８（ａ），（ｂ）は、左ケース５１を省略し、右ケース５６におけるスライドレール部６０（右スライドレール部６０ｂ）と操作ユニット４０の操作部材４１の周辺を示した側面模式図である。
【００６５】
図７（ａ）は、転写ヘッド２０がケース本体５に没入されている状態（すなわち図６及び図１（ａ）の状態）を示す。このとき、規制突起部４４は、係合当接部６２（当接段部６２ａ）とは当接していない。
【００６６】
この没入状態から、操作部材４１を、連結部４２の弾発力に抗して押し込んで、前方に移動させる。すると、図７（ｂ）に示すように、規制突起部４４は、スリット部６３を形成する脇板６３ａの下側に潜り込む。そして、スリット部６３に沿ってスライド部４３が前方に移動される。このとき、ツール保持体２１及びツール保持体２１に保持される塗膜転写機構も前方に移動される。
【００６７】
操作部材４１は、スライド部４３の前端が前移動規制部６４の前縁に当接するまで前方に移動され、図８（ａ）の状態となる。このとき、規制突起部４４は、連結部４２の弾発力により上昇し、前側の開口部６５に位置される。このようにして、転写ヘッド２０は、ケース本体５から突出される。
【００６８】
図８（ａ）の状態においては、規制突起部４４は、係合当接部６１（当接段部６１ａ）とは当接していない。さらに、後規制突起部４４ａの後端面である第１のスライド当接部４４ａ１（図４参照）と、当接段部６１ａの上側の第１の当接面６１ｂ（図５参照）とは、前後方向に距離Ｓの隙間が形成される。同様に、当接板部４２ａの第２のスライド当接部４２ａ１（図４参照）と、当接段部６１ａの下側の第２の当接面６１ｃ（図５参照）とは、前後方向に距離Ｓの隙間が形成される。換言すれば、図８（ａ）の状態においては、スリット部６３よりも幅広に形成される第１のスライド当接部４４ａ１及び第２のスライド当接部４２ａ１は、第１の当接面６１ｂ及び第２の当接面６１ｃと当接可能とされている。
【００６９】
従って、図８（ａ）の状態で操作部材４１を押し込めば、規制突起部４４はスリット部６３を形成する脇板６３ａの下方に位置させることができる。よって、図８（ａ）の状態で操作部材４１を押し込んで、操作部材４１を後方に移動させると、図８（ａ）の状態から図７（ｂ）の状態となって図７（ａ）の状態（すなわち転写ヘッド２０の没入状態）とすることができる。なお、操作ユニット４０の後方移動は、スライド部４３の後端面及び第１のスライド当接部４４ａ１が後側の開口部６６の後端縁の面に当接することで規制される。
【００７０】
転写操作を行うには、図８（ａ）の状態、すなわち、転写ヘッド２０がケース本体５から突出されている状態で、図９に示すように、転写ローラ２２を被転写面Ｑに押し付けて、塗膜転写具１０を引くことで行うことができる。このとき、図８（ｂ）に示すように、スライド部４３は、ケース本体５に対して相対的に距離Ｓだけ後方に移動される。換言すれば、操作ユニット４０がケース本体５に対して相対的に距離Ｓだけ後方に移動される。
【００７１】
すなわち、この転写操作の際、図８（ｂ）に示すように、後規制突起部４４ａの後端面である第１のスライド当接部４４ａ１（図４参照）と、前側の当接段部６１ａにおける上側の第１の当接面６１ｂ（図５参照）とは当接される。同様に、当接板部４２ａにおける第２のスライド当接部４２ａ１（図４参照）と、前側の当接段部６１ａにおける下側の第２の当接面６１ｃ（図５参照）とは、当接される。従って、各当接面は、これら各スライド当接部が当接されることにより、転写ローラ２２を被転写面Ｑに押し付けた際の押圧力を受けることができる。
【００７２】
さらに、転写操作をしている状態（すなわち、操作ユニット４０がケース本体５に対して距離Ｓだけ相対的に移動した状態）においては、後規制突起部４４ａの下面と前側の当接段部６１ａの上面とは当接可能な状態とされる。従って、転写操作をしている状態においては、操作部材４１を押し込むことができない。よって、転写操作の際中に操作部材４１に触れて操作部材４１を押してしまっても、操作部材４１が後方に移動されることはない。従って、転写操作の際中に転写ヘッド２０が没入されることはなく、継続して転写操作をすることができる。
【００７３】
また、図１０（ａ）に示すように、転写ヘッド２０の没入状態においては、ローラ片支持プレート２３の後方の下縁面に形成される傾斜突起２３ｃは突起５１ｋの後側に配置されている。これにより、転写ヘッド２０を備える操作ユニット４０は前方への移動が規制されている。従って、転写ヘッド２０を前方に移動させてケース本体５から突出させる際には、傾斜突起２３ｃの傾斜突起２３ｃは、突起５１ｋを乗り越えて前進する。また、転写ヘッド２０がケース本体５に収納される場合には、傾斜突起２３ｃ後側の直線状面２３ｃ１が突起５１ｋを乗り越えて、突起５１ｋの後側に傾斜突起２３ｃが位置されることとなる。
【００７４】
なお、傾斜突起２３ｃが突起５１ｋの後側に配置されているとき、直線部２３ｂ２の下面も突起５１ｋに支持されている。これにより、突起５１ｋへ傾斜突起２３ｃが食い込んでしまうことが低減される。
【００７５】
このように、転写ヘッド２０の出没操作において、使用者は、転写ヘッド２０の突出操作の開始や没入完了を、傾斜突起２３ｃが突起５１ｋを乗り越えるクリック感により、目視に依らずに知ることができる。また、傾斜突起２３ｃが突起５１ｋを乗り越える際には、転写ヘッド２０は偏心荷重を受けることになるが、保持プレート２４の後端に傾斜プレート２５が設けられることで、転写ヘッド２０及びツール保持体２１の剛性が高められている。
【００７６】
また、転写ヘッド２０が突出されると、傾斜突起２３ｃは、図１０（ｂ）に示すように、カム部５１ｈのカム凹部５１ｈ２上に位置される。ここで、前述の通り、転写操作の際には、転写ヘッド２０（操作ユニット４０）は、ケース本体５に対して距離Ｓだけ後方移動される。そして、転写操作が終了して、転写ローラ２２が被転写面Ｑから離れて押圧力が解除されると、カム凹部５１ｈ２の後側の傾斜と、傾斜突起２３ｃの直線状面２３ｃ１との作用により自動調心され、傾斜突起２３ｃは距離Ｓだけ前方に押し出される。このようにして、転写操作の終了時には、転写ヘッド２０（操作ユニット４０）は、ケース本体５に対して相対的に距離Ｓだけ前方に移動して、図１０（ｂ）の位置（すなわち図８（ａ）の位置）まで移動する。
【００７７】
さらに、図１１（ａ），（ｂ）に示すように、塗膜転写具１０は、出没操作の際、操作ユニット４０（ツール保持体２１）が前後方向に移動されることにより、ラック２６も前方に移動する。そして、ラック２６に歯合されるギヤ歯７ｄは、ラック２６の前後の移動に合わせて回動される。従って、シャッター７は、左軸孔７ａ及び右軸孔７ｂを中心に回動される。これにより、シャッター７は開閉される。
【００７８】
ここで、転写ヘッド２０の没入状態において、手動でシャッター７を開けようとすると、ギヤ歯７ｄの回動によりラック２６は前進する。しかしながら、規制突起部４４の前規制突起部４４ｂの前端面である第３のスライド当接部４４ｂ１（図４参照）と、後当接段部６２ａの上側の第３の当接面６２ｂ（図５参照）が当接し、当接板部４２ａの第４のスライド当接部４２ａ２（図４参照）と後当接段部６２ａの下側の第４の当接面６２ｃが当接する。従って、シャッター７を手動で開けようとしても、操作ユニット４０の前進は規制されているので、転写ヘッド２０が突出されることはない。
【００７９】
さらに、第３のスライド当接部４４ｂ１と、第３の当接面６２ｂが当接し、第４のスライド当接部４２ａ２と第４の当接面６２ｃが当接している場合には、前規制突起部４４ｂの下面は後当接段部６２ａの上面と当接可能な位置関係となるので、操作部材４１を押し込むことはできない。従って、この場合における誤操作も防止される。
【００８０】
なお、本実施形態においては、第１のスライド当接部４４ａ１，第２のスライド当接部４２ａ１と第１の当接面６１ｂ，第２の当接面６１ｃがそれぞれ当接するように形成したが、何れか一方のみ当接可能に形成しても良い。例えば、第１のスライド当接部４４ａ１と第１の当接面６１ｂのみ当接するように形成しても良い。第３のスライド当接部４４ｂ１，第４のスライド当接部４２ａ２と第３の当接面６２ｂ，第４の当接面６２ｃにおいても同様である。
【００８１】
また、係合当接部６１，６２は、各当接段部６１ａ，６２ａと各当接面（第１の当接面６１ｂ，第２の当接面６１ｃ，第３の当接面６２ｂ，第４の当接面６２ｃ）を連続して形成したが、これに限られず、それぞれ別個に形成しても良い。
【００８２】
なお、転写ヘッド２０は、その突出状態においては、ガイド部２３ｂ及びラック２６が開口部５ｅの縁部内面とそれぞれ当接されることにより、横ブレが低減されている。
【００８３】
以上、本発明に係る実施形態を説明したが、本発明は、本実施形態により限定されることはなく、種々の形態で実施することができる。例えば、本実施形態においては、操作ユニット４０のツール保持体２１は、塗膜転写機構を保持するように形成したが、これに限られず、ボールペン等の筆記具やドライバ等の工具類をツール保持体により保持するようにしても良い。すなわち、ツール保持体２１は、縦板状に形成されるが、これに限られず、保持するツールに合わせて、２枚の縦板により形成したり、筒状としたりすることができる。このとき、ツールの後退（没入）を規制する係合当接部とスライド当接部を備える出没構造が簡単に構成できるため、ツールの先端を被工作面に押し付けて作業を行うツールであれば好適に本発明を実施することができる。
【００８４】
また、本実施形態においては、操作部材４１を下方に押してスリット部６３を前後に移動できるように形成したが、操作部材４１（スライド部４３）を上方に引いて前後に移動できるようにしても良い。例えば、本実施形態における前後の当接段部６１ａ，６２ａの向きを逆にして、段部の面が下側に向くように当接段部を形成する。そして、この下向きの当接段部の面に当接されるように規制突起部を形成する。この場合、スライド部４３がスリット部６３を移動する際には、スライド当接部がスリット部６３の脇板６３ａの上方を移動する。
【００８５】
また、本実施形態においては、操作ユニット４０は距離Ｓを微小に前後動可能に形成されているが、これに限られず、転写ヘッド２０の突出時には、連結部４２が若干湾曲されるようにして、第１のスライド当接部４４ａ１と第１の当接面６１ｂとが常時当接するように構成することもできる。この場合、転写ヘッド２０の没入操作においては、連結部４２の弾発力に抗して、操作部材４１を前方に距離Ｓだけ移動させて押し込むことで、規制突起部４４と当接段部６１ａの当接可能状態を解除して、転写ヘッド２０を没入させることができる。
【００８６】
また、本実施形態においては、操作部材４１をケース本体５の上面に設けたが、これに限られず、ケース本体５の側面等、ケース本体５の外周面上であれば任意の場所に配置することができる。
【符号の説明】
【００８７】
５        ケース本体                ５ａ      横溝
５ｅ      開口部                    ７        シャッター
７ａ      左軸孔                    ７ｂ      右軸孔
７ｃ      歯部                      ７ｄ      ギヤ歯
１０      塗膜転写具                ２０      転写ヘッド
２１      ツール保持体              ２１ａ    支持軸
２１ｂ    支持軸                    ２１ｃ    一方端支持部
２１ｄ    メインギヤ保持部          ２１ｄ１  ラチェット歯
２１ｄ２  アーム                    ２１ｄ３  摺接突起
２１ｅ    巻取ボビン保持部          ２１ｅ１  外周壁部
２１ｅ２  アーム                    ２１ｅ３  摺接突起部
２１ｆ    突出部                    ２１ｆ１  上板部
２１ｆ２  横板                      ２２      転写ローラ
２３      ローラ片支持プレート
２３ａ    他方端支持部              ２３ｂ    ガイド部
２３ｂ１  湾曲部                    ２３ｂ２  直線部
２３ｃ    傾斜突起                  ２３ｃ１  直線状面
２３ｃ２  傾斜面                    ２４      保持プレート
２５      傾斜プレート              ２６      ラック
２７      スライド部                ２７ａ    スライドレール
２７ｂ    スライドレール            ３０      連動機構
３１      供給ボビン                ３１ａ    孔部
３２      巻取ボビン                ３２ａ    軸部
３２ｂ    ギヤ                      ３２ｃ    ボス
３２ｄ    ラチェット歯
３３      メインギヤ                ３３ａ    凹部
３３ｂ    突出部                    ３３ｃ    孔部
３３ｄ    係止板                    ３３ｅ    ラチェット爪
３４      固定軸                    ３４ａ    軸部
３４ｂ    リブ                      ３４ｃ    バネ部
４０      操作ユニット              ４１      操作部材
４２      連結部                    ４２ａ    当接板部
４２ａ１  第２のスライド当接部      ４２ａ２  第４のスライド当接部
４３      スライド部                ４４      規制突起部
４４ａ    後規制突起部              ４４ａ１  第１のスライド当接部
４４ｂ    前規制突起部              ４４ｂ１  第３のスライド当接部
５１      左ケース
５１ａ    係止爪                    ５１ｂ    ガイド柱
５１ｃ    左支持軸                  ５１ｄ    支持軸ガイド
５１ｅ    左開口部                  ５１ｆ    支持軸ガイド
５１ｇ    孔                        ５１ｈ    カム部
５１ｈ１  平板状部                  ５１ｈ２  カム凹部
５１ｊ    水平リブ                  ５１ｋ    突起
５１ｍ    左横溝                    ５６      右ケース
５６ａ    係止孔                    ５６ｂ    ガイド孔部
５６ｃ    右支持軸                  ５６ｄ    ガイドレール
５６ｄ１  レール                    ５６ｄ２  レール
５６ｅ    右開口部
５６ｍ    右横溝                    ６０      スライドレール部
６０ａ    左スライドレール部        ６０ｂ    右スライドレール部
６１      係合当接部                ６１ａ    当接段部
６１ｂ    第１の当接面              ６１ｃ    第２の当接面
６２      係合当接部                ６２ａ    当接段部
６２ｂ    第３の当接面              ６２ｃ    第４の当接面
６３      スリット部                ６３ａ    脇板
６４      前移動規制部              ６５      開口部
６６      開口部
【図１】
0006470091.tif 000002
【図２】
0006470091.tif 000003
【図３】
0006470091.tif 000004
【図４】
0006470091.tif 000005
【図５】
0006470091.tif 000006
【図６】
0006470091.tif 000007
【図７】
0006470091.tif 000008
【図８】
0006470091.tif 000009
【図９】
0006470091.tif 000010
【図１０】
0006470091.tif 000011
【図１１】
0006470091.tif 000012